(57)【要約】【課題】ガスコンロの前面に点消火ボタンの他に設定スイッチや電池ボックスを設けるためには、点消火ボタン用に設けた開口を小さくする必要がある。特に開口の上下方向の寸法を狭くすることが望ましいが、開口の上下寸法を狭くすると、従来の構成では点消火ボタンを小さくする必要が生じるものの、点消火ボタンを小さくすると点消火の操作性が損なわれる。【解決手段】点消火ボタンの押し操作部を開口から前方に突出させた状態で点消火ボタンの軸部を軸受部に係合させる。すなわち、軸部はガイド溝に沿って進み、上記係合部が弾性変形して軸部の進路から退避した後、点消火ボタンが取付位置に到達した際に点消火ボタンの軸部を揺動自在に保持する。【選択図】  図３
2010196964.tif 000002
【特許請求の範囲】
【請求項１】
器具の前面に形成された開口より上方であって、前面より後方に形成された軸受部に対して、押し操作部が開口から前方に突出した状態から後方に揺動自在に保持され、後方に配置された点消火装置を作動させる点消火ボタンを備えたガス器具において、点消火ボタンの左右両側面から突出する軸部を形成し、押し操作部を開口から前方に突出させた状態で点消火ボタンの軸部を軸受部に取り付ける際に、この軸部をガイドするガイド溝と、ガイド溝に沿って軸部が移動するのに伴って軸部の端面で左右に押されて弾性変形した後、点消火ボタンが取付位置まで進んだ際に弾性変形が解除されて軸部に係合し、軸部をその取付位置で揺動自在に保持する係合部とを上記軸受部に設けたことを特徴とするガス器具。
【請求項２】
上記点消火ボタンを後方に押し込んだ位置で、押し操作部の下面が当接して点消火ボタンのそれ以上の押し込みを規制するストッパ部を、開口の下縁に形成したことを特徴とする請求項１に記載のガス器具。
【発明の詳細な説明】
【技術分野】
【０００１】
本発明は、器具の前面に点消火ボタンを備えたガス器具に関する。
【背景技術】
【０００２】
従来のこの種のガス器具として、例えば、器具の前面に開口を設けて、この開口から手前側に点消火ボタンを突出するように取り付けたものが知られている。この点消火ボタンの後方には、いわゆるプッシュプッシュ機構と呼ばれる開弁保持機構が設けられており、点消火ボタンを後方に押し操作するとプッシュプッシュ機構が元弁を開弁保持するように構成され、元弁を通ってガスバーナにガスが供給され、点火される。再度点消火ボタンを押し操作すると、プッシュプッシュ機構による開弁保持が解除されて元弁が閉弁され、ガスバーナへのガスの供給が停止する。
【０００３】
この点消火ボタンは開口の裏面側であって、開口の上部に設けられた軸受部に揺動自在に保持されている。点消火ボタンには左右に突出する軸部が設けられており、この軸部が軸受部に保持される。軸部は円柱形状ではなく板状に形成されている。そして、軸受部には軸受部が係合する円形の穴が設けられ、かつ、この穴は一部が開放されている。点消火ボタンを開口の後方で大きく傾けて板状の軸部を、開放されている部分から穴内に挿入し、その状態から軸部を中心にして点消火ボタンを開口を通って前方に突出するように揺動させると、軸受部の穴内での軸部の姿勢が回転して開放されている部分から外れなくなるように構成されている（例えば、特許文献１参照）。
【先行技術文献】
【特許文献】
【０００４】
【特許文献１】特公平７−３９８６９号公報（第１図）
【発明の概要】
【発明が解決しようとする課題】
【０００５】
上記のガス器具では、点消火ボタンを開口の後方で軸受部に係合させ、その状態で軸部を中心に点消火ボタンを揺動させることによって、点消火ボタンが開口から前方に突出する姿勢にする必要がある。そのため、点消火ボタンが後方から前方に揺動できるように、開口の上下寸法を比較的広く設定する必要がある。
【０００６】
一方、ガス器具の火力制御等を電気的に行うものでは、従来の手動制御のものに対して設定することのできる項目が増える。そのため、多くの設定項目を設置するための設定スイッチ等を前面に設ける必要が生じる。また、電源となる電池を必要とするが、電池を容易に交換できるように電池ボックスを前面付近に設け、電池を前面から交換できるようにすることが望まれる。
【０００７】
このように、点消火ボタンの他に設定スイッチや電池ボックスを前面に設けるためには、点消火ボタン用に設けた開口を小さくする必要がある。特に開口の上下方向の寸法を狭くすることが望ましいが、開口の上下寸法を狭くすると、従来の構成では点消火ボタンを小さくする必要が生じるものの、点消火ボタンを小さくすると点消火の操作性が損なわれるという不具合が生じる。
【０００８】
そこで本発明は、上記の問題点に鑑み、点消火ボタンの操作性を損なうことなく点消火ボタン用の開口の上下寸法を狭くすることのできるガス器具を提供することを課題とする。
【課題を解決するための手段】
【０００９】
上記課題を解決するために本発明によるガス器具は、器具の前面に形成された開口より上方であって、前面より後方に形成された軸受部に対して、押し操作部が開口から前方に突出した状態から後方に揺動自在に保持され、後方に配置された点消火装置を作動させる点消火ボタンを備えたガス器具において、点消火ボタンの左右両側面から突出する軸部を形成し、押し操作部を開口から前方に突出させた状態で点消火ボタンの軸部を軸受部に取り付ける際に、この軸部をガイドするガイド溝と、ガイド溝に沿って軸部が移動するのに伴って軸部の端面で左右に押されて弾性変形した後、点消火ボタンが取付位置まで進んだ際に弾性変形が解除されて軸部に係合し、軸部をその取付位置で揺動自在に保持する係合部とを上記軸受部に設けたことを特徴とする。
【００１０】
従来のガス器具では、点消火ボタンの軸部を軸受部に係合させた後、点消火ボタンを揺動させて点消火ボタンの押し操作部を開口から前方へと突出させていたが、上記構成では、押し操作部を開口から前方に突出させた状態で点消火ボタンの軸部を軸受部に係合させる。すなわち、軸部はガイド溝に沿って進み、上記係合部が弾性変形して軸部の進路から退避した後、点消火ボタンが取付位置に到達した際に点消火ボタンの軸部を揺動自在に保持する。
【００１１】
なお、点消火ボタンに対する押し操作力はそのままプッシュプッシュ機構に伝えられるが、元弁が開弁した状態で更にプッシュプッシュ機構に押し操作力が作用すると、プッシュプッシュ機構が故障するおそれが生じる。そこで、上記点消火ボタンを後方に押し込んだ位置で、押し操作部の下面が当接して点消火ボタンのそれ以上の押し込みを規制するストッパ部を、開口の下縁に形成した。
【発明の効果】
【００１２】
以上の説明から明らかなように、本発明は、点消火ボタンの軸部を軸受部に取り付ける際に、点消火ボタンを揺動させる必要がないので、開口の上下寸法が狭くても点消火ボタンを後方から開口の前方へと突出させることができる。そのため、前面の開口以外のスペースを操作スイッチや電池ボックスに使用することができる。
【図面の簡単な説明】
【００１３】
【図１】本発明の一実施の形態の構成を示す図
【図２】点消火ボタンの小組状態を示す図
【図３】小組を分解した図
【図４】点消火ボタンの取り付け状態を示す平面図
【図５】点消火ボタンの揺動範囲を規制する状態を示す図
【図６】軸受部の他の構造を示す図
【図７】軸受部のさらに他の構造を示す図
【発明を実施するための形態】
【００１４】
図１を参照して、ＧＴは本発明によるガス器具であるビルトイン式のガスコンロである。このガスコンロＧＴの前面には化粧パネルＰが取り付けられており、中央のグリルＧを挟んで、左側に電池ボックスＢが設けられ、右側には操作スイッチ類が設けられた操作部Ｓが設けられている。そして、電池ボックスＢおよび操作部Ｓの上方には、各１対の点消火ボタン１が設けられている。
【００１５】
図２および図３に示すように、各点消火ボタン１は１対ずつホルダ２に取り付けられて小組みされている。点消火ボタン１はホルダ２に取り付けられた状態で、ホルダ２の開口２１から押し操作面１２が前方に突出するように設定されている。ホルダ２の裏面側には、開口２１の上部に位置してガイド溝２２ａが形成されたガイド腕２２と、係合部２３ａが設けられた係合腕２３とが設けられている。なお、係合腕２３は後述するように左右に撓むことができる厚さに形成されている。
【００１６】
図３および図４を参照して、点消火ボタン１の後方上部の両側には１対の軸部１１が設けられており、ホルダ２に対して点消火ボタン１を後方から前方に向かって進めると、軸部１１がガイド溝２２ａに入る。更にガイド溝２２ａに沿って軸部１１を進めると、軸部１１の端面１１ａが係合腕２３を水平方向に押して撓ませる。更に軸部１１をガイド溝２２ａに沿って進めると、軸部１１が係合腕２３の係合部２３ａに嵌ることにより、係合部２３ａに軸部１１が係合する。このとき、係合腕２３の撓みは元の状態に復元しており、その状態から点消火ボタン１を後方に押しても、軸部１１が係合部２３ａから外れることはない。なお、軸部１１の端面１１ａは、係合腕２３を水平方向に押しやいように平面視にて手前側に傾斜している。また、軸部１１は係合部２３ａに揺動自在に保持されることになるので、点消火ボタン１は軸部１１を中心として前後に揺動し、ガスコンロＧＴに組み付けられた状態で、図示しないプッシュプッシュ機構を押すことになる。なお、３はチャイルドプルーフ用のロック部材であり、このロック部材３を左右にスライドさせると、ロック面３１が点消火ボタン１のロック爪１０の背部に位置して、点消火ボタン１を押し操作できなくすることができる。
【００１７】
ロック部材３によるロックを解除した状態では上述のように、点消火ボタン１の押し操作面１２を押し操作することにより点消火ボタン１を後方に揺動させることができるが、プッシュプッシュ機構により図示しない元弁を開弁させる位置で、点消火ボタン１をそれ以上押し込めなくする制止機構を設けた。具体的には、図５に示すように、押し操作面１２の下面１３が開口２１の下縁に設けたストッパ部２１ａに当接することにより、点消火ボタン１がそれ以上後方に揺動しないようにした。
【００１８】
ところで、上記実施の形態では、ガイド腕２２と係合腕２３とを別個に設けたが、図６に示すように、１個の軸部１１に対して１個の軸受腕２４を設け、この軸受腕２４にガイド溝２４ａと係合部となる係合穴２４ｂを設けるようにしてもよい。
【００１９】
また、上記各実施の形態では軸部１１を奥側から手前に向かって水平に移動させることにより係合させたが、軸部の移動方向は水平に限定されるものではない。例えば図７に示すように、ガイド腕２５に上方に開口するガイド溝２５ａを設け、軸部１１を上方からこのガイド溝２５ａに入れて係合させるように構成してもよい。また、この場合、軸部１１の端面１１ｂを下向きに傾斜させると共に係合腕２３の上縁に傾斜面２３ｂを設けて、係合腕２３が傾斜しやすくすることが望ましい。
【００２０】
なお、本発明は上記した形態に限定されるものではなく、本発明の要旨を逸脱しない範囲内において種々の変更を加えてもかまわない。
【符号の説明】
【００２１】
１ 点消火ボタン
２ ホルダ
１１ 軸部
１１ａ 端面
１２ 操作面
２１ 開口
２１ａ ストッパ部
【図１】
2010196964.tif 000003
【図２】
2010196964.tif 000004
【図３】
2010196964.tif 000005
【図４】
2010196964.tif 000006
【図５】
2010196964.tif 000007
【図６】
2010196964.tif 000008
【図７】
2010196964.tif 000009